(57)【要約】      （修正有）【課題】ブラインドを出し入れするコードが外れにくい巻取装置を提供する。【解決手段】巻取装置１００は、保持壁部１２８およびスピンドル１１４を有する支持部材１０２と、前記スピンドルに回転可能に取り付けられる筐体１０３とを備えている。前記筐体は、ブラインドを出し入れするために当該筐体の回転を制御するコードを収容する駆動部を有しており、開位置と閉位置との間でスピンドルに沿って選択的に可動である。前記筐体１０３が前記閉位置に置かれるときに、前記保持壁部１２８は、前記コードの全てが前記駆動部から非係合状態となるのを阻止するために前記駆動部の少なくとも一部を覆う。【選択図】図１
0003158903.tif 000002
【実用新案登録請求の範囲】
【請求項１】
壁部およびスピンドルを有する支持部材と、
前記スピンドルに回転可能に取り付けられた筐体と、を備えており、
前記筐体は、ブラインドを出し入れするために前記筐体の回転を制御するコードを収容する駆動部を有しており、
前記筐体は、開位置と閉位置との間でスピンドルに沿って選択的に移動可能であり、当該筐体が開位置に置かれるときに、前記駆動部は前記コードを受け入れるべく露出され、当該筐体が閉位置に置かれるときに、前記壁部は前記コードの全てが前記駆動部から非係合状態となるのを阻止するために前記駆動部の少なくとも一部を覆う、ことを特徴とする巻取装置。
【請求項２】
前記筐体が保持アームを有しており、
前記支持部材は、前記筐体が前記開位置にあるときに保持アームの一部を収容するための第１の溝と、前記筐体が前記閉位置にあるときに前記保持アームの一部を収容するための第２の溝を有しており、
前記保持アームが前記第１および第２の溝のいずれかに収容されているときに、前記保持アームが前記スピンドルに沿った前記筐体の移動を阻止する、ことを特徴とする請求項１に記載の巻取装置。
【請求項３】
前記保持アームが前記第１および第２の溝のいずれかに係合するように第１の位置に向かって付勢されていると共に、前記保持アームが第１および第２の溝のいずれかから前記保持アームを非係合状態にするために第２の位置に調整可能である、ことを特徴とする請求項２に記載の巻取装置。
【請求項４】
前記筐体は、それが前記閉位置に置かれたときに前記壁部に近接配置されるフランジ部を有しており、前記フランジ部と前記壁部との間の間隙が、この間隙を通して前記コードが外れるのを阻止するのに十分な小ささである、ことを特徴とする請求項１に記載の巻取装置。
【請求項５】
前記間隙が前記コードの最小径よりも小さい、ことを特徴とする請求項４に記載の巻取装置。
【請求項６】
前記フランジ部が、相対的に小径な前記コードのいかなる部分も前記フランジ部の周縁部に接触しないように成形されている、ことを特徴とする請求項４に記載の巻取装置。
【請求項７】
前記筐体が、前記駆動部を含む内部コアと、
前記ブラインドを出し入れするためのチューブと係合すべく前記内部コアの周りに設けられた本体と、を備えており、
前記巻取装置が、前記スピンドルと前記筐体との間に配置されたクラッチを備えており、このクラッチは、前記本体が前記スピンドルに対して第１の方向に回転するときに、当該第１の方向への前記本体の更なる回転を阻止するために前記スピンドルに係合し、前記筐体が前記本体と共に反対方向へ回転するときに、前記筐体および前記本体が当該反対方向へ回転可能となるように前記クラッチが前記スピンドルを開放する、ことを特徴とする請求項１に記載の巻取装置。
【請求項８】
前記内部コアは、前記スピンドルの外部に形成されたリブを収容するために成形された溝を備えており、前記筐体が前記開位置に置かれたときに、前記リブは前記溝に受容されて、前記スピンドルに対して前記内部コアが移動するのを阻止する係止状態をなす、ことを特徴とする請求項７に記載の巻取装置。
【請求項９】
前記支持部材は、前記巻取装置を支持するための取付ブラケットの一部と係合するように構成された接続部を有している、ことを特徴とする請求項１に記載の巻取装置。
【請求項１０】
前記接続部は、前記取付ブラケットから延びる突起を収容するように成形された中空部である、ことを特徴とする請求項９に記載の巻取装置。
【請求項１１】
前記接続部は、アダプタを収容するために成形された中空部であって、前記アダプタは前記取付ブラケットから延びる突起を収容するように成形されている、ことを特徴とする請求項９に記載の巻取装置。
【請求項１２】
前記支持部材が、一つ又は複数の開口部を有しており、この開口部は、当該巻取装置を支持するために、取付ブラケットから延びており且つこの開口部と対応する形状に成形された支持アームを収容するように成形されている、ことを特徴とする請求項１に記載の巻取装置。
【考案の詳細な説明】
【技術分野】
【０００１】
本考案は、ブラインドシステム用の付属品（構成部品）に関し、特に、ブラインドシステムのスクリーンの出し入れを制御するための巻取装置に関する。
【背景技術】
【０００２】
本明細書において、巻取装置とは、窓用ブラインド等の出し入れのために回転可能な、手動式のブラインドの構成部品（即ち付属品）を指す。巻取装置は、クラッチ装置またはクラッチ機構とも称される。一般的に、かかる付属品はコードと係合する駆動部を有している。このコードは数珠状の玉が付けられていてもいなくてもよい。例えば、このコードは、ビードチェーンとも呼ばれ、プラスチックもしくは金属（またはこれらの組合せ）からなる（しかしこれらに限定されない）。このコードの操作によってこの付属品を回転させることができる（しかしこれに限定されない）。例えば、ブラインドを引き出す方向にこの付属品を回転させるためにこのコードを一方向に引っ張ることができ、更に、ブラインドを巻き戻す方向にこの付属品を回転させるためにこのコードを反対方向に引っ張ることができる。
【０００３】
使用時において、ユーザはこのコードを様々な方向に引っ張り、それによりコードが巻取装置の駆動部から外れてしまうことがある。この巻取装置を再び使用するには、コードを駆動部に戻さなくてはならない。こうした面倒を避けるために、巻取装置によってはコードの外れを最小限に抑えるために駆動部の一部を覆うスリーブを備える。しかし、この方法にはいくつかの問題がある。もしこのスリーブが柔らかすぎる場合、コードの外れを防ぐには効果がない。もしスリーブが硬すぎる場合、最初にコードを駆動部に取り付けるとき（ブラインドの取り付け時）に大変困難となり得る。このスリーブが適当な柔軟性と剛性の両方を備えるように形成されても、なおコードの外れが起こり得（例えば、コードが強く引っ張られた場合）、このスリーブは応力疲労のため構造的な損傷を被り得る。
【０００４】
よって、上記の問題に対処することが望まれており、少なくとも、既存のブラインドの当該付属品に代わってより使い易いものを開発することが望まれている。
【先行技術文献】
【特許文献】
【０００５】
【特許文献１】（特になし）
【考案の概要】
【考案が解決しようとする課題】
【０００６】
本考案の目的は、ブラインドを出し入れするためのコードが外れにくい巻取装置を提供することにある。
【課題を解決するための手段】
【０００７】
本考案によれば、壁部およびスピンドルを有する支持部材と、前記スピンドルに回転可能に取り付けられた筐体と、を備えており、前記筐体は、ブラインドを出し入れするために当該筐体の回転を制御するコードを収容する駆動部を有しており、更に、開位置と閉位置との間でスピンドルに沿って選択的に移動可能であり、当該筐体が開位置に置かれるときに、前記駆動部は前記コードを受け入れるべく露出され、当該筐体が閉位置に置かれるときに、前記壁部は前記コードの全てが前記駆動部から非係合状態となるのを阻止するために前記駆動部の少なくとも一部を覆う、ことを特徴とする巻取装置が提供される。
【０００８】
本考案の代表的な実施形態を次の添付の図面を参照にして下記に記載する。
【図面の簡単な説明】
【０００９】
【図１】巻取装置の構成要素の分解斜視図である。
【図２】図１の巻取装置の別の分解斜視図である。
【図３】開状態の巻取装置の側面図である。
【図４】図３の巻取装置の断面図（図１のＡ−Ａ線）である。
【図５】図３の巻取装置の斜視図である。
【図６】閉状態の巻取装置の側面図である。
【図７】図６の巻取装置の断面図（図１のＡ−Ａ線）である。
【図８】図６の巻取装置の斜視図である。
【図９】１つのスプリングクラッチを備える巻取装置を示す斜視図である。
【図１０】２つのスプリングクラッチを備える巻取装置を示す斜視図である。
【考案を実施するための形態】
【００１０】
図１に示されるように、巻取装置１００は、支持部材１０２と、筐体１０３（内部コア１０４および本体１０６を含む）と、クラッチ部材１０８ａおよび１０８ｂとを備える。巻取装置１００は、この巻取装置１００が異なるタイプの支持構造体（支持フレーム、構造体、表面または取付ブラケット）に連結することができるようにアダプタ１１０を備えていてもよい。
【００１１】
支持部材１０２はスピンドル１１４と称される突出部を有する。クラッチ１０８ａおよび１０８ｂがスピンドル１１４の外面のそれぞれ異なる部位に係合するように、一または複数のクラッチ部材１０８ａおよび１０８ｂがスピンドル１１４に嵌合される。一実施形態では、図１に示されるように、各クラッチ１０８ａおよび１０８ｂは、端部１１６ａ、１１６ｂ、１１８ａおよび１１８ｂを備えるコイルばねである。
【００１２】
図２に示されるように、スピンドル１１４は、接続端部２０２を有しており、軸（図２に示されず）の端部と係合するように接続端部２０２と軸の端部は成形されている。支持部材１０２は更に保持壁部１２８を有している。
【００１３】
筐体１０３の内部コア１０４はスピンドル１１４に嵌合する。内部コア１０４は、コードの一部と係合する駆動部２０４（図２に最も分かりやすく示されている）を備える。コードは、内部コア１０４をスピンドル１１４に対して回転させるために駆動部２０４に係合するための任意の材料からなる。例えば、このコードは、鎖、チェーン（例えばビードチェーン）または紐であってよい。図２に示される実施形態において、駆動部２０４は、コードの異なる部位を受け入れ、収容するためのポケットを形成している複数のフランジ部を有する。
【００１４】
更に内部コア１０４は少なくとも一つの開口部１２０を側部に有しており、この開口部１２０を通してクラッチ部材１０８ａおよび１０８ｂの端部１１６ａ、１１６ｂ、１１８ａおよび１１８ｂが突出する。各開口部１２０は、互いに向かい合う二つの駆動壁部１２２ａおよび１２２ｂによって画成される。図１の実施形態において、内部コア１０４が時計回りに回転するとき、駆動壁１２２ａの一方が、クラッチ部材１０８ａ，ｂの端部１１６ａおよび端部１１８ｂを他方の端部１１６ｂおよび端部１１８ｂに向かって押圧する。これにより、クラッチ部材１０８ａ，ｂの端部１１６ａおよび１１８ｂの内径が大きくなり、内部コア１０４をスピンドル１１４に対して時計方向に回転させることができる（よって、クラッチ部材１０８ａおよび１０８ｂによってスピンドル１１４にかけられた摩擦力を減少させる。同様に、他方の駆動壁１２２ｂが、クラッチ部材１０８ａおよび１０８ｂの端部１１６ｂおよび１１８ｂを他方の端部１１６ａおよび１１８ａに向かって押圧するとき、内部コア１０４は反時計回りに回転することができる。
【００１５】
筐体１０３の本体１０６は、チューブ（図１に示されず）の内面に係合するように成形されている。本体１０６がチューブに嵌合されるとき、軸１１２を中心にチューブと共に回転する。図１に示された実施形態において、本体１０６の外面は、チューブの内面と係合させるために複数のフィンを有している。
【００１６】
更に本体１０６は、内部コア１０４を収容するように成形された中空コアを有する。中空コアは、各開口部１２０のために少なくとも２つの係止壁部を画成している。図１に示された実施形態において、本体１０６が反時計回りに回転するとき、係止壁部１２４ａはクラッチ部材１０８ａおよび１０８ｂの端部１１６ａおよび１１８ａを他方の端部１１６ｂおよび１１８ｂから離す方向に押圧する。これにより、クラッチ部材１０８ａおよび１０８ｂの内径が小さくなり、本体１０６がスピンドル１１４に対して反時計回りに更に回転（例えば、所望でない回転）するのを阻止する。同様に、係止壁部１２４ｂが端部１１６ｂおよび１１８ｂを他方の端部１１６ａおよび１１８ａから離す方向に押圧するとき、クラッチ部材１０８ａおよび１０８ｂは、本体１０６の更なる時計回りの回転（例えば所望でない回転）するのを阻止する。
【００１７】
本発明の利点は、筐体１０３（すなわち、内部コア１０４および本体１０６）が開位置と閉位置の間でスピンドル１１４に沿って選択的に可動であることである。この調整可能な構成は非常に有益であって、これによりユーザがコードを駆動部２０４に容易に取り付けることができ（巻取装置１００が開位置のとき）、筐体１０３を保持壁部１２８に向かって単に押し込むことによって巻取装置１００を容易に閉位置に調整することができるためである。後にコードの交換が必要になった場合、再び巻取装置１００を駆動部２０４が新しいコードを収容するために露出される位置である開位置の状態にするために、筐体１０３を保持壁部１２８から離す方向に引っ張ることが可能である。
【００１８】
図３は、開位置にある巻取装置１００（組み立てられた形態）の側面図である。この開位置において筐体１０３は、駆動部２０４がコードを収容するために露出されるように、保持壁部１２８から離れた位置にある。図４は開位置にある巻取装置１００の断面図（図１のＡ−Ａ線での断面）である。図５は開位置にある巻取装置１００の斜視図である。
【００１９】
図６は、閉位置にある巻取装置１００（組み立てられた形態）の側面図である。閉位置において筐体１０３は、保持壁部１２８が駆動部２０４の少なくとも一部を覆っており、駆動部２０４からコードの全てが外れるのを防ぐように配置されている。図７は閉位置にある巻取装置１００の断面図（図１のＡ−Ａ線での断面）である。図８は閉位置にある巻取装置１００の斜視図である。
【００２０】
閉位置において（図６に示されるように）、保持壁部１２８は、本体１０６のフランジ部２０６に十分近接して配置され、保持壁部１２８とフランジ部２０６との間に形成される間隙６０２はコードがこの間隙６０２を通って出てしまわない程度に小さい。例えば、間隙６０２はコードの最小径よりも小さい。好適には、巻取装置１００を閉位置にした時に間隙がないことが好ましい。
【００２１】
一実施形態において、本体１０６は、巻取装置１００が組み立てられたときに駆動部２０４に隣接配置されるフランジ部２０６を有する。このフランジ部２０６は、例えば使用中に、コードが駆動部２０４から外れないように支持面として機能する。このフランジ部２０６は、外輪１３０を有することができ、駆動部２０４に収容されるチェーン（またはコード）のピッチに基づいて決められる全厚を有することができる。例えば、フランジ部２０６（外輪１３０を備える）の厚みは、ビードチェーンのピッチ（すなわちチェーンのビード部間の距離）よりも僅かに小さくてよい。これは、ビード部（一般的に最小径を有する）の間の連結部がフランジ部２０６の周縁部２０８と接触するのを防ぎ、チェーンの連結部が間隙６０２に予期せず入ってしまう（これにより結果として駆動部２０４からチェーンが全て外れ得る）ことを最小限に抑える。
【００２２】
図２を参照すると、本体１０６は、保持アーム２１０と称する突出部を有しており、この保持アーム２１０は、スピンドル１１４の外面に形成された二つの溝２１２および２１４のいずれかに係合するための拡張部（すなわち保持アーム２１０に沿って任意の箇所に設けられた突出部）を有する。筐体１０３が開位置の状態に置かれているとき、保持アーム２１０の拡張部は、支持部材１０２の保持壁部１２８から遠い箇所にある第１の溝２１２と係合する。筐体１０３が閉位置の状態に置かれているとき、保持アーム２１０の拡張部は、支持部材１０２の保持壁部１２８に近い箇所にある第２の溝２１４と係合する。
【００２３】
図２および図４に示されるように、保持アーム２１０の拡張部は、巻取装置１００が最初に組み立てられるときに、第１の溝２１２と係合する。保持アーム２１０の拡張部と第１の溝２１２との係合は、本体１０６が保持壁部１２８に向かってスピンドル１１４に沿って長手方向に移動するのを阻止する。これにより、本体１０６が保持壁部１２８から一定距離離れて保持される（すなわち、開位置にある）。
【００２４】
保持アーム２１０は硬質材料から作られる。代表的な実施形態において、保持アーム２１０は、第１および第２の溝のいずれかに係合するための第１の位置に向かって付勢され、更に、第１および第２の溝のいずれかから保持アームを非係合状態にするための第２の位置に調整可能である。
【００２５】
内部コア１０４は、突出した第１のリブ２１６を有しており、この第１のリブ２１６は最初、第２のリブ２１８（スピンドル１１４の外面上にある）の一側部と当接している。第１のリブ２１６と第２のリブ２１８との係合は、内部コア１０４が保持壁部１２８に向かってスピンドル１１４に沿って長手方向に移動するのを阻止する。これにより、駆動部２０４がコードを収容するために露出されるように、コア１０４が保持壁部１２８から一定距離離れて保持される（すなわち、開位置となる）。
【００２６】
図４に示されるように、巻取装置１００を閉位置の状態にするために本体１０６を保持壁部１２８に向かって押し込むことができる（例えば、コードが駆動部２０４に収まった後に）。この押し込みによって保持アーム２１０が撓曲し、保持アーム２１０の拡張部を第１の溝２１２から非係合状態にする。本体１０６が保持壁部１２８に向かって移動するにつれ、保持アーム２１０の拡張部がその元の位置（すなわち撓曲していない状態）に戻り、第２の溝２１４に収容され（すなわち、図７に示される閉位置となる）、保持アーム２１０の拡張部と第２の溝２１４との係合は、本体１０６がスピンドル１１４に沿って保持壁部１２８から離れて長手方向に移動するのを阻止する。
【００２７】
同様に、内部コア１０４が保持壁部１２８に向かって押し込まれるとき、第１のリブ２１６および第２のリブ２１８のいずれかまたは両方が撓曲し、内部コア１０４が保持壁部１２８に近づく（すなわち、閉位置となる）。閉位置において、第１のリブ２１６と第２のリブ２１８との係合は、内部コア１０４がスピンドル１１４に沿って保持壁部１２８から離れて長手方向に移動するのを阻止する。
【００２８】
図１を参照すると、支持部材１０２は、使用中に巻取装置１００を支持するために取付ブラケット（図１に示されず）の一部と係合するように作られている。例えば、接続部１３２は取付ブラケットから延びる突起を収容するように成形することができ、もしくは、接続部１３２は取付ブラケットによって収容される突起を備えていてもよい。一実施形態において、接続部１３２は、取付ブラケットの突起を収容するように成形された中空コアである。この中空コアは、取付ブラケットの突起の断面形状に対応する断面形状を有しており、この突起が中空コア１３２に係止し、取付ブラケットに対して支持部材１０２が回転するのを阻止する。
【００２９】
別の実施形態において、接続部１３２は、アダプタ１１０を収容するように中空に成形されている。異なる種類のアダプタを用いることができ、各アダプタは、異なるタイプの突起（例えば、取付ブラケットの突起、または別の巻取装置もしくはアイドラー構造体の軸端）を受け入れるような異なる断面サイズや形状の中空コアを備えている。これにより、支持部材１０２に取り付けるための異なる複数のアダプタ１１０（異なる断面サイズや形状を有する）から特定のアダプタ１１０を選択することができるため、格別有益である。これにより、支持部材１０２が幅広い種類の取り付け構造体と共に使用できるように構成することができる。
【００３０】
更に、支持部材１０２は、一つまたは複数の開口部１３４を有しており、この開口部１３４は、巻取装置１００を支持するための支持構造体（例えば取付ブラケットやこれに類似する取り付け具）の、この開口部に対応して成形された支持アーム（図１に示されず）またはフランジを収容するように成形されている。この支持アームと開口部１３４との係合は、支持構造体に対して支持部材１０２が回転するのを阻止する。
【００３１】
当業者が本考案から本考案の変更や改良を容易に想到可能であるから、かかる変更や改良は本考案の範囲内となる。
【符号の説明】
【００３２】
１００  巻取装置
１０２  支持部材
１０３  筐体
１０４  内部コア
１０６  本体
１０８ａ，１０８ｂ  クラッチ部材
１１４  スピンドル
１２８  保持壁部（支持部材の壁部）
２０４  駆動部
２０６  フランジ部
２１０  保持アーム
【図１】
0003158903.tif 000003
【図２】
0003158903.tif 000004
【図３】
0003158903.tif 000005
【図４】
0003158903.tif 000006
【図５】
0003158903.tif 000007
【図６】
0003158903.tif 000008
【図７】
0003158903.tif 000009
【図８】
0003158903.tif 000010
【図９】
0003158903.tif 000011
【図１０】
0003158903.tif 000012